(57)【要約】【課題】水中撮影と水上撮影の両方に用いることができる撮影用具であって、水中撮影と水上撮影とを容易に切り替えることができる撮影用具を提供する。【解決手段】本体側アタッチメント３３には、その一部が開放され、円筒形状のカメラ３５を回転可能に挿入可能な挿入孔３３ａが形成されている。なお、挿入孔３３ａは、固定用ネジ３３ｂを回転することによりその内径が変化するようになっており、この挿入孔３３ａに挿入されたカメラ３５を押圧して回転不可能な状態とすることができる。また、本体側アタッチメント３３の端面３３ｃからは、位置決めピン３３ｄが延出するように形成されている。また、カメラ側アタッチメント３４の端面３４ｂには、本体側アタッチメント３３の位置決めピン３３ｄを挿入可能な複数の挿入孔３４ｃが取付孔３４ａの周囲に３０度の等間隔で形成されている。【選択図】図２
2010256416.tif 000002
【特許請求の範囲】
【請求項１】
撮影者に把持される棒状のシャフトと、前記シャフトにカメラを固定するためのカメラヘッド部と、を備えた撮影用具において、
前記カメラヘッド部は、前記カメラに取り付け可能または前記カメラの一部である被支持部材と、前記被支持部材を前記カメラの撮影方向を中心軸とする回転方向に回転可能に支持する回転支持部と、前記被支持部材を介して前記回転支持部に回転可能に支持される前記カメラの回転位置を決める位置決め部と、を備えることを特徴とする撮影用具。
【請求項２】
請求項１に記載の撮影用具において、
前記位置決め部は、前記回転支持部に回転可能に支持される前記被支持部材を押圧することで前記被支持部材の回転を阻止可能な回転阻止部を備え、前記回転阻止部が前記被支持部材の回転を阻止することで、前記回転支持部に回転可能に支持される前記カメラの回転位置を決めること
を特徴とする撮影用具。
【請求項３】
請求項１または請求項２に記載の撮影用具において、
前記被支持部材には被係止部が形成されており、
前記位置決め部は、前記被係止部を係止可能な係止部を有し、前記係止部が前記被支持部材の前記被係止部を係止することで、前記回転支持部に回転可能に支持される前記カメラの回転位置を決めること
を特徴とする撮影用具。
【請求項４】
請求項３に記載の撮影用具において、
前記被係止部または前記係止部の何れか一方には、突起部が形成され、
前記被係止部または前記係止部の何れか他方には、前記突起部を挿入可能な挿入孔が形成され、
前記突起部を前記挿入孔に挿入することで、前記回転支持部に回転可能に支持される前記カメラの回転位置を決めること
を特徴とする撮影用具。
【請求項５】
請求項４に記載の撮影用具において、
前記挿入孔は複数存在し、
前記複数の挿入孔は、それぞれが前記カメラの所定の回転角度に対応して形成されることを特徴とする撮影用具。
【請求項６】
請求項１〜請求項５の何れかに記載の撮影用具において、
前記位置決め部には、前記カメラの回転角度を特定するための目印が形成されていることを特徴とする撮影用具。
【発明の詳細な説明】
【技術分野】
【０００１】
本発明は、水中撮影と水上撮影の両方に用いることができる撮影用具に関する。
【背景技術】
【０００２】
従来より、防水性能に優れ、水中撮影が可能なカメラが知られている。
また、このようなカメラを竿の先に取り付け、泳者の水中撮影を可能とした撮影用具がある。
【発明の概要】
【発明が解決しようとする課題】
【０００３】
しかし、上述のような撮影用具を使って水中撮影をした後、引き続いて水上からの俯瞰撮影をしようとすると、撮影される映像が逆さになってしまうという問題があった。すなわち、上述の撮影用具は、水中撮影時には竿の先端が後端よりも下方に位置する状態となり、俯瞰撮影時には竿の先端が後端よりも上方に位置する状態となる。すると、水中撮影時には竿の先端の下側にあった部分が俯瞰撮影時には上側に位置することとなり、カメラの上下関係も逆となって撮影される映像が逆さになってしまうからである。
【０００４】
本発明は、水中撮影と水上撮影の両方に用いることができる撮影用具であって、水中撮影と水上撮影とを容易に切り替えることができる撮影用具を提供することを目的とする。
【課題を解決するための手段】
【０００５】
上記課題を解決するためになされた請求項１に係る撮影用具は、撮影者に把持される棒状のシャフトと、前記シャフトにカメラを固定するためのカメラヘッド部と、を備えた撮影用具において、前記カメラヘッド部は、前記カメラに取り付け可能または前記カメラの一部である被支持部材と、前記被支持部材を前記カメラの撮影方向を中心軸とする回転方向に回転可能に支持する回転支持部と、前記被支持部材を介して前記回転支持部に回転可能に支持される前記カメラの回転位置を決める位置決め部と、を備えることを特徴とする。
【０００６】
このように構成された本発明の撮影用具によれば、例えば当該撮影用具を使って水中撮影をした後、引き続いて水上からの俯瞰撮影をするときにも、被支持部材を介して回転支持部に回転可能に支持されるカメラの回転位置を変更して位置決め部で位置決めすることで撮影される映像が逆さにならず、したがって、水中撮影と水上撮影とを容易に切り替えることができる。
【０００７】
また、請求項２に係る撮影用具は、請求項１に記載の撮影用具において、前記位置決め部は、前記回転支持部に回転可能に支持される前記被支持部材を押圧することで前記被支持部材の回転を阻止可能な回転阻止部を備え、前記回転阻止部が前記被支持部材の回転を阻止することで、前記回転支持部に回転可能に支持される前記カメラの回転位置を決めることを特徴とする。
【０００８】
このように構成された本発明の撮影用具によれば、回転阻止部が被子時部材を押圧する状態ではカメラが回転不可能な状態となり、一方、回転阻止部が被子時部材を押圧しない状態ではカメラが回転可能な状態となるので、カメラが回転不可能な状態とカメラが回転可能な状態とを素早く切り替えることができる。
【０００９】
また、請求項３に係る撮影用具は、請求項１または請求項２に記載の撮影用具において、前記被支持部材には被係止部が形成されており、前記位置決め部は、前記被係止部を係止可能な係止部を有し、前記係止部が前記被支持部材の前記被係止部を係止することで、前記回転支持部に回転可能に支持される前記カメラの回転位置を決めることを特徴とする。
【００１０】
このように構成された本発明の撮影用具によれば、カメラの回転位置を確実に位置決めできるとともに、使用時にカメラの回転位置がずれにくくすることができる。
また、請求項４に係る撮影用具は、請求項３に記載の撮影用具において、前記被係止部または前記係止部の何れか一方には、突起部が形成され、前記被係止部または前記係止部の何れか他方には、前記突起部を挿入可能な挿入孔が形成され、前記突起部を前記挿入孔に挿入することで、前記回転支持部に回転可能に支持される前記カメラの回転位置を決めることを特徴とする。
【００１１】
このように構成された本発明の撮影用具によれば、カメラの回転位置を確実に位置決めできるとともに、使用時にカメラの回転位置がずれることもない。
また、請求項５に係る撮影用具は、請求項４に記載の撮影用具において、前記挿入孔は複数存在し、前記複数の挿入孔は、それぞれが前記カメラの所定の回転角度に対応して形成されることを特徴とする。
【００１２】
このように構成された本発明の撮影用具によれば、カメラの回転位置の変更も容易となる。
また、請求項６に係る撮影用具は、請求項１〜請求項５の何れかに記載の撮影用具において、前記位置決め部には、前記カメラの回転角度を特定するための目印が形成されていることを特徴とする。
【００１３】
このように構成された本発明の撮影用具によれば、撮影者が、目印を確認することで、適切なカメラの回転位置を素早く知ることができる。
【図面の簡単な説明】
【００１４】
【図１】実施形態の撮影用具１の構成を示す概略構成図である。
【図２】カメラヘッド部３０の構成を示す構成図である。
【図３】グリップ部１２、録画部４０および操作部２０の構成を示す構成図である。
【発明を実施するための形態】
【００１５】
以下に本発明の実施形態を図面とともに説明する。
図１に示すように、撮影用具１は、シャフト１０と、操作部２０と、カメラヘッド部３０と、録画部４０と、を備える。
【００１６】
具体的には、シャフト１０は、中空の長尺材で構成されている。また、シャフト１０の一端（後端）１０ａには、円筒状の操作部２０が回転可能に取り付けられている。一方、シャフト１０の他端（先端）１０ｂには、カメラヘッド部３０が取り付けられている。
【００１７】
また、シャフト１０の先端１０ｂ付近には、コードを挿通させたりシャフト１０内部に入った水を抜いたりするための挿通孔１０ｃが複数形成されている。
図２に示すように、カメラヘッド部３０は、ヘッド本体３１と、一対のアーム部３２，３２と、本体側アタッチメント３３と、カメラ側アタッチメント３４と、カメラ３５と、を備える。
【００１８】
ヘッド本体３１は、略直方体に形成され、シャフト１０の先端１０ｂに取り付けられている。また、ヘッド本体３１は、一対のアーム部３２，３２を介して本体側アタッチメント３３を支持する。具体的には、ヘッド本体３１内には、軸３６が回転可能に挿通され、この軸３６の両端それぞれには一対のアーム部３２，３２が取り付けられている。なお、この軸３６の中央に周方向に複数形成された歯（図示省略）とロッド１１の長手方向に複数形成された係止溝（図示省略）とが噛み合っており、ロッド１１の長手方向への移動に応じて軸３６が回転するようになっている。また、一対のアーム部３２，３２の先端には本体側アタッチメント３３が取り付けられている。
【００１９】
本体側アタッチメント３３には、その一部が開放され、円筒形状のカメラ３５を回転可能に挿入可能な挿入孔３３ａが形成されている。なお、挿入孔３３ａは、固定用ネジ３３ｂを回転することによりその内径が変化するようになっており、この挿入孔３３ａに挿入されたカメラ３５を押圧して回転不可能な状態とすることができる。このことにより、カメラ３５が回転不可能な状態とカメラ３５が回転可能な状態とを素早く切り替えることができる。
【００２０】
カメラ側アタッチメント３４は、円環状に形成され、円筒状のカメラ３５を挿入可能な取付孔３４ａが形成されている。なお、取付孔３４ａに挿入されたカメラ３５は、図示しない取付ビスによってカメラ側アタッチメント３４に固定可能である。
【００２１】
このことにより、カメラ側アタッチメント３４にカメラ３５を固定した状態で、操作部２０を回転させると(図３（ｂ）参照)、その回転に伴ってシャフト１０内部でその長手方向に移動するロッド１１が軸３６を回転させ、この軸３６の回転に伴って一対のアーム部３２，３２の角度が変更されて、一対のアーム部３２，３２に支持される本体側アタッチメント３３とともにカメラ側アタッチメント３４に固定されたカメラ３５のアングル（撮影方向）が変更される。
【００２２】
なお、本体側アタッチメント３３は回転支持部および回転阻止部に該当し、カメラ側アタッチメント３４は被支持部材に該当する。
また、本体側アタッチメント３３の端面のうち取付時にカメラ側アタッチメント３４と当接する側の端面３３ｃからは、円筒状の位置決めピン３３ｄが延出するように形成されている。また、カメラ側アタッチメント３４のうち取付時に本体側アタッチメント３３と当接する側の端面３４ｂには、本体側アタッチメント３３の位置決めピン３３ｄを挿入可能な複数の挿入孔３４ｃが取付孔３４ａの周囲に３０度の等間隔で形成されている(図２（ｃ）参照)。
【００２３】
なお、図２（ａ）では、カメラ側アタッチメント３４に取り付けられたカメラ３５が本体側アタッチメント３３の挿入孔３３ａに挿入され、シャフト１０の先端１０ｂが後端１０ａよりも下方になる水中撮影時に、本体側アタッチメント３３の位置決めピン３３ｄが形成される側（端面３３ｃ）を下方に向けると、カメラ３５の撮影方向が上方を向く状態を示している。
【００２４】
このことにより、カメラ３５は、その撮影方向を中心軸として回転可能となっている。また、カメラ３５の回転位置を確実に位置決めできるとともに、使用時にカメラの回転位置がずれにくくすることができる。また、カメラ３５の回転位置の変更も容易となり、カメラ３５が固定されたカメラ側アタッチメント３４の挿入孔３４ｃに本体側アタッチメント３３の位置決めピン３３ｄを挿入することで、カメラ３５の回転角度を３０度間隔で決めることができる。
【００２５】
なお、本体側アタッチメント３３の位置決めピン３３ｄおよびカメラ側アタッチメント３４の挿入孔３４ｃは位置決め部に該当する。また、本体側アタッチメント３３の位置決めピン３３ｄは係止部および突起部に該当し、カメラ側アタッチメント３４の挿入孔３４ｃは被係止部に該当する。
【００２６】
また、本体側アタッチメント３３の周囲の特定箇所には白色の目印３３ｅが形成され、カメラ側アタッチメント３４の周囲の特定箇所には、赤色の目印３４ｄが形成されている。これら本体側アタッチメント３３の目印３３ｅおよびカメラ側アタッチメント３４の目印３４ｄは、カメラ３５が取り付けられた状態のカメラ側アタッチメント３４を両目印が近接するように本体側アタッチメント３３に取り付ければ、シャフト１０の先端１０ｂが後端１０ａよりも下方になる水中撮影時に、カメラ３５が撮影する画像の上下関係が正しくなるように形成されている。
【００２７】
また、カメラ側アタッチメント３４の周囲の赤色の目印３４ｄとは反対側には青色の目印３４ｅが形成されている(図２（ｃ）参照)。これら本体側アタッチメント３３の目印３３ｅおよびカメラ側アタッチメント３４の目印３４ｅは、カメラ３５が取り付けられた状態のカメラ側アタッチメント３４を両目印が近接するように本体側アタッチメント３３に取り付ければ、シャフト１０の先端１０ｂが後端１０ａよりも上方になる水上撮影時に、カメラ３５が撮影する画像の上下関係が正しくなるように形成されている。
【００２８】
このことにより、撮影者が、このような目印を確認することで、適切なカメラ３５の回転位置を素早く知ることができる。
なお、本体側アタッチメント３３の目印３３ｅおよびカメラ側アタッチメント３４の目印３４ｄ，３４ｅは位置決め部に該当する。
【００２９】
また、図１に示すように、シャフト１０の中央付近には、撮影者に把持されるグリップ部１２が取り付けられている。より具体的には、図３（ａ）に示すように、このグリップ部１２は、グリップ固定部１２ａと、グリップ本体１２ｂと、ブラケット１２ｃと、を備える。グリップ固定部１２ａは、略直方体に形成され、シャフト１０の中央付近に取り付けられている（図１参照）。また、グリップ本体１２ｂは、棒状に形成され、その長手方向がシャフト１０の長手方向と直交する姿勢で、グリップ固定部１２ａに回転可能に取り付けられている。
【００３０】
また、グリップ固定部１２ａには、その一部が開放され、シャフト１０を回転可能に挿入可能な挿入孔１２ｆが形成されている。なお、挿入孔１２ｆは、グリップ本体１２ｂを回転することによりその内径が変化するようになっており、この挿入孔１２ｆに挿入されたグリップ本体１２ｂを押圧して回転不可能な状態とすることができる。このことにより、グリップ部１２がシャフト１０に対して回転不可能な状態とグリップ部１２がシャフト１０に対して回転可能な状態とを素早く切り替えることができる。また、グリップ部１２がシャフト１０の長手方向に沿って移動不可能な状態とグリップ部１２がシャフト１０の長手方向に沿って移動可能な状態とを素早く切り替えることができる。
【００３１】
また、グリップ本体１２ｂの一端には、録画台としてのＬ字形状のブラケット１２ｃが、一方の面１２ｄがグリップ本体１２ｂの長手方向と直交するとともに他方の面１２ｅが上方を向く姿勢で取り付けられている。
【００３２】
また、ブラケット１２ｃには、カメラ３５が撮影した画像を表示部４１に表示したり録画部（図示省略）で録画したりするための録画装置４０が、図示しない取付ビスで着脱可能に取り付けられている。この録画装置４０は録画機能および表示機能を備えた公知のものであるのでここではその詳細な説明は省略する。
【００３３】
また、グリップ部１２の下部には、カメラ３５や録画装置４０に電気を供給するための電源部（図示省略）が取り付けられている。
このように本実施形態の撮影用具１によれば、例えば当該撮影用具１を使って水中撮影をした後、引き続いて水上からの俯瞰撮影をするときにも、カメラ側アタッチメント３４を介して本体側アタッチメント３３に回転可能に支持されるカメラ３５の回転位置を変更して、本体側アタッチメント３３の位置決めピン３３ｄをカメラ側アタッチメント３４の挿入孔３４ｃの何れかに挿入することで位置決めすることで撮影される映像が逆さにならず、したがって、水中撮影と水上撮影とを容易に切り替えることができる。
【００３４】
以上、本発明の一実施形態について説明したが、本発明は上記実施形態に限定されるものではなく、以下のような様々な態様にて実施することが可能である。
（１）上記実施形態においては、録画装置４０は、カメラ３５が撮影した水中の映像を表示部４１の画面全体に表示するが、例えば、水上撮影用のカメラをシャフト１０のグリップ部１２と先端１０ｂとの間の部分に設置し、水上撮影用のカメラが撮影した水上の映像を表示部４１の上半分に表示するとともに、カメラ３５が撮影した水中の映像を表示部４１の下半分に表示するようにしてもよい。
【００３５】
（２）上記実施形態においては、カメラ側アタッチメント３４とカメラ３５とを別体に構成し、カメラ側アタッチメント３４からカメラ３５を取り外すことが可能となっているが、カメラ側アタッチメント３４とカメラ３５とを一体に構成してもよい。
【００３６】
（３）上記実施形態においては、本体側アタッチメント３３の端面３３ｃに位置決めピン３３ｄが形成され、カメラ側アタッチメント３４の端面３４ｂに挿入孔３４ｃが形成されているが、逆に、カメラ側アタッチメント３４の端面３４ｂに位置決めピンを形成し、本体側アタッチメント３３の端面３３ｃに、カメラ側アタッチメント３４の位置決めピンを挿入可能な挿入孔を形成するようにしてもよい。
【符号の説明】
【００３７】
１…撮影用具、１０…シャフト、２０…操作部、３０…カメラヘッド部、４０…録画装置
【図１】
2010256416.tif 000003
【図２】
2010256416.tif 000004
【図３】
2010256416.tif 000005